(57)【要約】【課題】ジョブ毎に行う利用者の設定操作の負担を軽減する手段を提供する。【解決手段】原稿の画像を読取る複数の読取部と、前記読取部の読取り設定情報を記憶する記憶部と、前記読取部が前記読取り設定情報に基づいて原稿の画像を読取る複数のジョブを結合するジョブ結合部とを備え、前記読取部毎に、前記読取り設定情報を設定可能にした。【選択図】        図１
2015070590.tif 000002
【特許請求の範囲】
【請求項１】
原稿の画像を読取る複数の読取部と、
前記読取部の読取り設定情報を記憶する記憶部と、
前記読取部が前記読取り設定情報に基づいて原稿の画像を読取る複数のジョブを結合するジョブ結合部とを備え、
前記読取部毎に、前記読取り設定情報を設定可能にしたことを特徴とする画像形成装置。
【請求項２】
請求項１に記載の画像形成装置において、
前記読取部は、原稿を載置する載置部と、前記載置部に載置された原稿を検知する原稿検知部とを有し、
前記原稿検知部で前記載置部に載置された原稿を検知すると、前記原稿処理設定情報の設定を可能にすることを特徴とする画像形成装置。
【請求項３】
請求項１または請求項２に記載の画像形成装置において、
前記読取り部は、第１の読取部と第２の読取部とを有し、
前記読取り設定情報は、前記第１の読取部の第１の読取り設定情報と、前記第２の読取部の第２の読取り設定情報とを含み、
前記第１の読取部は、前記第１の読取り設定情報に基づいて第１の原稿画像を読取り、
前記第２の読取部は、前記第２の読取り設定情報に基づいて第２の原稿画像を読取り、
前記ジョブ結合部は、複数の前記第１の原稿画像を読取るジョブ、複数の前記第２の原稿画像を読取るジョブ、または前記第１の原稿画像を読取るジョブと前記第２の原稿画像を読取るジョブとを結合することを特徴とする画像形成装置。
【請求項４】
請求項３に記載の画像形成装置において、
前記第１の読取部は、複数の原稿を連続して読取る読取部であり、
前記第２の読取部は、原稿台に載置された１枚の原稿を読取る読取部であることを特徴とする画像形成装置。
【請求項５】
請求項１から請求項３のいずれかに記載の画像形成装置において、
前記記憶部は、前記読取り設定情報を含む原稿処理設定情報を記憶し、
前記原稿処理設定情報は、原稿の読取り解像度およびカラー／モノクロの読取りモードを含む読取り設定情報と、読取った原稿の画像データの形式、前記画像データの出力先および出力手段を表す情報とを含むことを特徴とする画像形成装置。
【発明の詳細な説明】
【技術分野】
【０００１】
本発明は、原稿を読取って画像を形成する画像形成装置に関する。
【背景技術】
【０００２】
従来の画像形成装置は、複数の原稿を順に搬送して画像を読取る読取手段と、原稿台に載置された原稿を１枚ずつ読取る読取手段とを併設し、原稿の読取りを開始する前に、解像度、カラーモード、印刷モード等の各種の読取りモードや画像処理モードを設定可能とし、原稿の種類、画像の用途に合わせて適切なモードで原稿の読取りや画像処理を行うようにしているものがある（例えば、特許文献１参照）。
【先行技術文献】
【特許文献】
【０００３】
【特許文献１】特開２００２−３３８８７号公報
【発明の概要】
【発明が解決しようとする課題】
【０００４】
しかしながら、従来の技術においては、利用者が要求するジョブ毎に、所望の読取りモードまたは画像処理モードが異なる場合、原稿を読取る度に画像形成装置の操作パネルを操作して読取りモードまたは画像処理モードを設定しなければならず、その設定操作を利用者が煩わしく感じてしまうという問題がある。
本発明は、このような問題を解決することを課題とし、ジョブ毎に行う利用者の設定操作の負担を軽減することを目的とする。
【課題を解決するための手段】
【０００５】
そのため、本発明は、原稿の画像を読取る複数の読取部と、前記読取部の読取り設定情報を記憶する記憶部と、前記読取部が前記読取り設定情報に基づいて原稿の画像を読取る複数のジョブを結合するジョブ結合部とを備え、前記読取部毎に、前記読取り設定情報を設定可能にしたことを特徴とする。
【発明の効果】
【０００６】
このようにした本発明は、ジョブ毎に行う利用者の設定操作の負担を軽減することができるという効果が得られる。
【図面の簡単な説明】
【０００７】
【図１】実施例におけるＭＦＰの構成を示すブロック図
【図２】実施例におけるＭＦＰの外観斜視図
【図３】実施例におけるスキャナユニットの構成を示す説明図
【図４】実施例における原稿処理設定の説明図
【図５】実施例におけるＭＦＰ制御プログラムの構成を示すブロック図
【図６】実施例における設定処理の流れを示すフローチャート
【図７】実施例におけるスキャンＴｏサーバ処理の流れを示すフローチャート
【図８】実施例における原稿処理設定の記憶構成の説明図
【発明を実施するための形態】
【０００８】
以下、図面を参照して本発明による画像形成装置の実施例を説明する。
【実施例】
【０００９】
図２は実施例におけるＭＦＰの外観斜視図である。
図２において、画像形成装置としてのＭＦＰ（ＭｕｌｔｉＦｕｎｃｔｉｏｎ  Ｐｅｒｉｐｈｅｒａｌ：複合機）１は、原稿の画像を読取るスキャナユニット１０９と、ユーザ（利用者）の操作を受付けるオペレータパネル１０７と、印刷を行うプリンタユニット１０８とを備えている。
【００１０】
図１は実施例におけるＭＦＰの構成を示すブロック図である。
図１において、ＭＦＰ１は、共通バス１０１と、ＣＰＵ（Ｃｅｎｔｒａｌ  Ｐｒｏｃｅｓｓｉｎｇ  Ｕｎｉｔ）１０２と、ＲＡＭ（Ｒａｎｄｏｍ  Ａｃｃｅｓｓ  Ｍｅｍｏｒｙ）１０３と、ＲＯＭ（Ｒｅａｄ  Ｏｎｌｙ  Ｍｅｍｏｒｙ）１０４と、ＭＦＰ制御プログラム１０５と、ネットワークインタフェース１０６と、オペレータパネル１０７と、プリンタユニット１０８と、スキャナユニット１０９と、第１の読取部（読取り手段）としての自動給紙装置（以下、「ＡＤＦ」という。）１１０と、第２の読取部（読取り手段）としてのフラットベッド（以下、「ＦＢ」という。）１２０と、ＡＤＦ原稿処理設定情報１３１およびＦＢ原稿処理設定情報１３２を記憶するハードディスク１３０とを備え、さらにＡＤＦ１１０は、ＡＤＦ用紙載置部１１１と、ＡＤＦ用紙検知センサ１１２と、用紙搬送ユニット１１３と、用紙排紙ユニット１１４と、画像読取ユニット１２３とを備え、ＦＢ１２０は、ＦＢ用紙載置部１２１と、ＦＢ用紙検知センサ１２２と、ＡＤＦ１１０と共有する画像読取ユニット１２３とを備えている。このように、ＭＦＰ１は、原稿の画像を読取る複数の読取部としてのＡＤＦ１１０およびＦＢ１２０を備えている。
【００１１】
共通バス１０１は、各部位を接続するバスである。
ＣＰＵ１０２は、マイクロプロセッサ等の中央処理装置で構成され、ＲＯＭ１０４に格納されたＭＦＰ制御プログラム１０５を実行することにより、ＭＦＰ１全体の動作を制御するものである。
ＲＡＭ１０３は、ＣＰＵ１０２の主メモリであり、ＭＦＰ制御プログラム１０５の実行に必要な情報を一時的に記憶する記憶部である。
ＲＯＭ１０４は、ＭＦＰ１全体の動作を制御するためのソフトウェアであるＭＦＰ制御プログラム１０５を記憶する記憶部である。
【００１２】
ネットワークインタフェース１０６は、通信回線としてのネットワークを介して上位装置としての外部のサーバ等の情報処理装置と画像データや制御データの送受信を行うための通信路である。
オペレータパネル１０７は、ＭＦＰ１の動作状況を利用者に報知するための表示手段と、利用者がＭＦＰ１を操作するための入力を受付ける入力手段とを備えたものである。この表示手段および入力手段は、ＬＣＤ（Ｌｉｑｕｉｄ  Ｃｒｙｓｔａｌ  Ｄｉｓｐｌａｙ）パネルとスイッチ等の組み合わせやタッチ式の液晶パネル等が使用されるが、これらに特に限定されるものではない。
【００１３】
プリンタユニット１０８は、媒体としての用紙を搬送する搬送ローラ、帯電装置、露光装置、現像装置等を備え、用紙に画像を印刷する機構部である。
スキャナユニット１０９は、原稿に光を照射し、その反射光をＣＣＤ（Ｃｈａｒｇｅ  Ｃｏｕｐｌｅｄ  Ｄｅｖｉｃｅ）センサで読取り、原稿の図形や写真等を画像データとして生成するものである。本実施例のスキャナユニット１０９は、原稿台に載置された原稿を１枚ずつ読取るＦＢ１２０に加え、複数枚の原稿を連続して読取るＡＤＦ１１０を備えている。
【００１４】
ここで、スキャナユニット１０９の構成を図３の実施例におけるスキャナユニットの構成を示す説明図に基づいて説明する。なお、図３（ａ）は原稿カバーを開けた状態を示し、図３（ｂ）は原稿カバーを閉じた状態を示している。
スキャナユニット１０９におけるＡＤＦ１１０とＦＢ１２０は、回動（開閉）可能な原稿カバー１１９を隔てて設けられている。
ＦＢ１２０は、図３（ｂ）に示すように、原稿カバー１１９の下方に設けられ、ＦＢ用紙載置部１２１と、ＦＢ用紙検知センサ１２２と、読取りユニット１２３とから構成されている。
【００１５】
ＦＢ用紙載置部１２１は、不定型な媒体としての原稿を載置可能な載置台（載置部）であり、本実施例ではプラテンガラスで構成されている。このＦＢ１２０により画像が読取られる原稿は、読取り対象の面、すなわち読取り面がＦＢ用紙載置部１２１に接するように下向きに載置される。
原稿検知部としてのＦＢ用紙検知センサ１２２は、ＦＢ用紙載置部１２１に原稿が存在するか否かを検知するセンサであり、ＦＢ用紙載置部１２１の下方に設けられている。
読取りユニット１２３は、例えばＬＥＤ（Ｌｉｇｈｔ  Ｅｍｉｔｔｉｎｇ  Ｄｉｏｄｅ）やＣＣＤセンサ等からなる読取りセンサを備え、ＦＢ用紙載置部１２１の下方に設けられ、副走査方向に移動しながらＦＢ用紙載置部１２１に下向きに載置された読取り対象である原稿を読取り、電気信号に変換した後、画像データに変換する機能を有するものである。
【００１６】
この読取りユニット１２３は、例えば３００ｄｐｉ（ドット／インチ）の場合、３００ｄｐｉの間隔（解像度）で画像を読取る読取りセンサが配設されており、主走査方向の１ライン毎に原稿を読取る。さらに、読取りユニット１２３は、図３中ＦＢ用紙載置部１２１の左側の端部から副走査方向に原稿に対して１／３００インチ移動する毎に、１ラインずつ原稿の画像を読取り、図３中ＦＢ用紙載置部１２１の右側の端部まで移動して原稿１ページ分の縦３００ｄｐｉ×横３００ｄｐｉの画像データを生成する。
なお、本実施例の読取りユニット１２３は、原稿を読取る解像度を切替えることができるようになっており、６００ｄｐｉと２００ｄｐｉとを切替えることができるようになっている。
【００１７】
ＡＤＦ１１０は、図３（ｂ）に示すように、原稿カバー１１９の上側に設けられ、ＡＤＦ用紙載置部１１１と、ＡＤＦ用紙検知センサ１１２と、用紙搬送ユニット１１３と、用紙排紙ユニット１１４とを備えるとともに、読取りユニット１２３をＦＢ１２０と共用している。
ＡＤＦ用紙載置部１１１は、複数枚の定型の媒体、すなわち定型の原稿を載置可能な原稿台（載置部）である。なお、本実施例では、ＡＤＦ１１０により画像が読取られる原稿は読取り面を上向きにしてＡＤＦ用紙載置部１１１に載置されるものとする。
【００１８】
原稿検知部としてのＡＤＦ用紙検知センサ１１２は、ＡＤＦ用紙載置部１１１に載置された原稿の有無を検知するセンサであり、ＡＤＦ用紙載置部１１１上に設けられている。
用紙搬送ユニット１１３は、ＡＤＦ用紙載置部１１１に載置された複数枚の原稿を１枚ずつ順に原稿カバー１１９に設けられた溝を経由して反転させ、用紙排紙ユニット１１４まで搬送するものである。なお、原稿カバー１１９に設けられた溝は、読取りユニット１２３による原稿の読取りを可能とするため、読取りユニット１２３およびＦＢ用紙載置部１２１の上方であり、ＦＢ１２０の読取りの開始ラインと読取り終了ラインとの間の範囲から外れた位置に設けられている。
【００１９】
読取りユニット１２３は、用紙搬送ユニット１１３によりＡＤＦ用紙載置部１１１から原稿カバー１１９の溝を経由して反転され、搬送されてきた原稿を、溝の下で静止したまま読取って、画像データを生成する。この読取りユニット１２３は、上述したように、３００ｄｐｉ間隔で画像を読取る読取りセンサが配設されており、主走査方向の１ライン毎に原稿を読取る。さらに、読取りユニット１２３は、用紙搬送ユニット１１３により搬送される原稿が、読取りユニット１２３の静止位置に対して１／３００インチ移動する毎に、１ラインずつ原稿の画像を読取り、搬送される原稿が読取りユニット１２３から外れるまで原稿の画像を読取ることにより、原稿１ページ分の縦３００ｄｐｉ×横３００ｄｐｉの画像データを生成する。
用紙排紙ユニット１１４は、用紙搬送ユニット１１３により搬送され、読取りユニット１２３により画像の読取りが行われた原稿を収容するものである。
【００２０】
図１の説明に戻り、ハードディスク１３０は、それぞれの読取部の読取り設定情報としてのＡＤＦ原稿処理設定情報１３１およびＦＢ原稿処理設定情報１３２を含む原稿処理設定情報、またはＭＦＰ１の処理に必要なデータやＲＡＭ１０３に格納しきれないデータを一時的または永続的に記憶する記憶部である。
なお、原稿処理設定情報は、原稿の読取り解像度およびカラー／モノクロの読取りモードを含む読取り設定情報、読取った原稿の画像データの形式等を表す画像変換設定情報、並びに画像データの出力先（送信先）および出力手段（ネットワークまたはＵＳＢ等）等を表す出力先設定情報を含むものとする。
ＡＤＦ原稿処理設定情報１３１は、ＡＤＦ１１０において原稿を読取り、画像データを出力する場合の読取りおよび出力に関する設定値（ＡＤＦ原稿処理設定情報）である。
【００２１】
ＦＢ原稿処理設定情報１３２は、ＦＢ１２０において原稿を読取り、画像データを出力する場合の読取りおよび出力に関する設定値（ＦＢ原稿処理設定情報）である。
ＡＤＦ原稿処理設定情報１３１およびＦＢ原稿処理設定情報１３２は、利用者がオペレータパネル１０７を操作してＡＤＦ１１０およびＦＢ１２０の読取部毎の読取り設定情報として任意の値を設定することができるようになっている。
ここで、ＡＤＦ原稿処理設定情報１３１およびＦＢ原稿処理設定情報１３２としてハードディスク１３０に保存される設定値の例を図４に基づいて説明する。
【００２２】
図４において、ＡＤＦ原稿処理設定情報１３１は、「読取りサイズ」が“Ａ４”、「両面読取り」が“有効”、「拡大／縮小」が“１００％”、「原稿種別」が“ふつう”、「カラー」（読取りモード）が“モノクロ”、「背景除去」が“あり”、「解像度」（読取り解像度）が“２００ｄｐｉ”、「濃度」が“薄め”、「メディアタイプ」が“プレーン”を表す値に設定され、ＦＢ原稿処理設定情報１３２は、「読取りサイズ」が“ＩＤ−１”、「両面読取り」が“無効”、「拡大／縮小」が“１００％”、「原稿種別」が“写真”、「カラー」（読取りモード）が“フルカラー”、「背景除去」が“なし”、「解像度」（読取り解像度）が“６００ｄｐｉ”、「濃度」が“ふつう”、「メディアタイプ」が“光沢紙”を表す値に設定されたものである。
【００２３】
図４に示すＡＤＦ原稿処理設定情報１３１およびＦＢ原稿処理設定情報１３２は、証券会社の窓口等で証券口座を開設するための複数枚の書類と自動車運転免許証をＭＦＰ１で読取る作業を繰り返して行う場合の設定例であり、ＡＤＦ１１０から読み込む原稿に対してはモノクロ、解像度を低く抑えた設定値とし、ＦＢ１２０から読み込む原稿に対してはカラー、高精細な小さい原稿（自動車運転免許証）を読取るために行った設定値の例である。
【００２４】
図５は実施例におけるＭＦＰ制御プログラムの構成を示すブロック図である。このＭＦＰ制御プログラムの構成を図５に基づき図１を参照しながら説明する。
図５において、ＭＦＰ制御プログラム１０５は、ＲＯＭ１０４に格納され、ＣＰＵ１０２によって実行されるソフトウェアであり、通信制御部３０１と、パネル制御部３０２と、画像変換部３０３と、プリンタ制御部３０４と、スキャナ制御部３０５と、ジョブ制御部３０６と、ジョブパラメータ管理部３０７とから構成されている。
通信制御部３０１は、ネットワークインタフェース１０６を制御し、ネットワークで接続された他の装置との間で画像情報等の各種情報を送受信するものである。この通信制御部３０１は、パネル制御部３０２を介してオペレータパネル１０７で入力され、ハードディスク１３０に記憶された出力先設定情報に基づいて読取った画像を出力先（出力手段）へ送信する。
【００２５】
パネル制御部３０２は、オペレータパネル１０７を制御し、オペレータパネル１０７の表示手段へのメッセージの出力、オペレータパネル１０７の入力手段からの入力を検知してＭＦＰ１の各部に情報を伝達するものである。
画像変換部３０３は、パネル制御部３０２を介してオペレータパネル１０７で入力され、ハードディスク１３０に記憶された画像変換設定情報に基づいてスキャナユニット１０９が読取った画像データを画像データ形式に変換するものであり、例えばＪＰＥＧ形式やＰＤＦ形式の画像データに変換する。
【００２６】
プリンタ制御部３０４は、画像変換部３０３により変換された画像データを出力画像として受取ってプリンタユニット１０８を制御し、その出力画像を媒体上に形成するものである。
スキャナ制御部３０５は、スキャナユニット１０９の機構部等を制御し、読取った画像データを他の制御部に転送するものである。このスキャナ制御部３０５は、ハードディスク１３０に格納されたＡＤＦ原稿処理設定情報１３１に基づいてＡＤＦ１１０により原稿を読取り、画像データを出力し、またハードディスク１３０に格納されたＦＢ原稿処理設定情報１３２に基づいてＦＢ１２０により原稿を読取り、画像データを出力する。
【００２７】
ジョブ結合部としてのジョブ制御部３０６は、ＭＦＰ１内の各制御部を制御し、利用者から要求されたジョブを実行するものである。ここで、ジョブとは、ＭＦＰ１が利用者からの一連の処理要求を扱う際の処理単位であり、１つのジョブの中で複数の画像を扱うことができるものである。
このジョブ制御部３０６は、例えばパネル制御部３０２から“Ｃｏｐｙ”のジョブの実行が要求された場合、まず当該ジョブを処理するために必要な制御部を抽出し、抽出した各制御部（“Ｃｏｐｙ”ジョブの場合、例えばスキャナ制御部３０５、画像変換部３０３、およびプリンタ制御部３０４）を制御し、ジョブを実行する。
【００２８】
また、ジョブ制御部３０６は、複数のジョブを結合して１つの結合ジョブとするジョブビルド機能を有しており、例えばＦＢ１２０で原稿を読取るジョブと、ＡＤＦ１１０で原稿を読取るジョブとからなる複数のジョブを実行し、ハードディスク１３０に格納されたＦＢ原稿処理設定情報１３２に基づいてＦＢ１２０で原稿を読取り、またハードディスク１３０に格納されたＡＤＦ原稿処理設定情報１３１に基づいてＡＤＦ１１０で原稿を読取り、１つの結合ジョブの出力として読取った原稿の画像データを出力する。
【００２９】
なお、この結合ジョブは、ＦＢ１２０で原稿を読取る１つのジョブと、ＡＤＦ１１０のＡＤＦ用紙載置部１１１に載置された１群（１セット）の原稿を読取る１つのジョブとを結合した結合ジョブに限られるものでなく、ＡＤＦ１１０で複数回（例えば、１００枚の原稿を５０枚ずつ読取る２つのジョブ）に分けて原稿を読取る１つまたは複数のジョブと、ＦＢ１２０で１枚の原稿を読取る１つまたは複数のジョブとを結合したものであってもよく、またＡＤＦ１１０での複数のジョブを結合したもの、またはＦＢ１２０での複数のジョブを結合したものであっても良い。
【００３０】
ジョブパラメータ管理部３０７は、パネル制御部３０２からオペレータパネル１０７で入力されたＦＢ１２０やＡＤＦ１１０の設定値であるＦＢ原稿処理設定情報およびＡＤＦ原稿処理設定情報を受け、ハードディスク１３０にＡＤＦ原稿処理設定情報１３１およびＦＢ原稿処理設定情報１３２として記録するものである。
また、ジョブパラメータ管理部３０７は、それぞれのジョブを実行する際に、ハードディスク１３０に記録されたＡＤＦ原稿処理設定情報１３１およびＦＢ原稿処理設定情報１３２を読み出し、スキャナ制御部３０６に渡す。
【００３１】
なお、図８に示すように、利用者を識別するための利用者識別情報１３３と、ＡＤＦ原稿処理設定情報１３１およびＦＢ原稿処理設定情報１３２とを対応付けて、複数の利用者識別情報１３３、ＡＤＦ原稿処理設定情報１３１およびＦＢ原稿処理設定情報１３２をハードディスク１３０に記憶しておき、ジョブを実行するときに、利用者識別情報１３３をオペレータパネル１０７から入力させ、使用するＡＤＦ原稿処理設定情報１３１およびＦＢ原稿処理設定情報１３２を抽出するようにしても良い。
例えば、利用者識別情報１３３を利用者毎に付与されたログインＩＤとし、ジョブを実行するときに、オペレータパネル１０７に表示したログイン画面において入力されたログインＩＤに基づいてジョブパラメータ管理部３０７がＡＤＦ原稿処理設定情報１３１およびＦＢ原稿処理設定情報１３２を抽出するものとする。
【００３２】
上述した構成の作用について説明する。
まず、ＭＦＰが読取った原稿の画像データをサーバに送信するスキャンＴｏサーバ処理を行うためにＦＢ原稿処理設定情報およびＡＤＦ原稿処理設定情報を設定する処理を図６の実施例における設定処理の流れを示すフローチャートの図中Ｓで表すステップにしたがって図１および図５を参照しながら説明する。
Ｓ１０１：ＭＦＰ１のパネル制御部３０２は、オペレータパネル１０７で利用者によるスキャンＴｏサーバの設定キーの押下を受付けると、オペレータパネル１０７からスキャンＴｏサーバ設定キー押下通知を受け、ジョブパラメータ管理部３０７に対してスキャンＴｏサーバ設定の開始を指示する。
【００３３】
スキャンＴｏサーバ設定の開始を指示されたジョブパラメータ管理部３０７は、パネル制御部３０２を介してオペレータパネル１０７に、読取り手段別にスキャンジョブ設定するか否かの確認メッセージ、すなわちＦＢ１２０またはＡＤＦ１１０に対して個別にスキャンジョブ設定を行うか否かを確認するメッセージを表示し、パネル制御部３０２はオペレータパネル１０７により読取り手段別に「設定する」または「設定しない」の選択操作を受付ける（スキャンジョブ設定開始）。
【００３４】
Ｓ１０２：ジョブパラメータ管理部３０７は、パネル制御部３０２が読取り手段別に設定する、すなわちＦＢ１２０またはＡＤＦ１１０に対して個別にスキャンジョブ設定を行う選択操作を受付けたと判定すると処理をＳ１０３へ移行し、パネル制御部３０２が読取り手段別にスキャンジョブ設定しない、すなわちＦＢ１２０またはＡＤＦ１１０に対して個別に設定を行わない選択操作を受付けたと判定すると処理をＳ１０５へ移行する。
【００３５】
Ｓ１０３：ジョブパラメータ管理部３０７は、パネル制御部３０２を介してオペレータパネル１０７にＡＤＦ１１０から原稿を読取る場合のスキャンＴｏサーバの設定画面を表示し、オペレータパネル１０７でスキャンＴｏサーバにおける原稿の読取り設定および読取った画像の出力に関するスキャンジョブ設定の操作を受付ける。
スキャンＴｏサーバの設定画面で設定操作を受付けた後、パネル制御部３０２を介してオペレータパネル１０７で設定値確定キーの押下を受付けると、ジョブパラメータ管理部３０７は、入力された設定値をＡＤＦ原稿処理設定情報１３１としてハードディスク１３０に保存する。
【００３６】
Ｓ１０４：続いて、ジョブパラメータ管理部３０７は、パネル制御部３０２を介してオペレータパネル１０７にＦＢ１２０から原稿を読取る場合のスキャンＴｏサーバの設定画面を表示し、オペレータパネル１０７でスキャンＴｏサーバにおける原稿の読取り設定および読取った画像の出力に関するスキャンジョブ設定の操作を受付ける。
スキャンＴｏサーバの設定画面で設定操作を受付けた後、パネル制御部３０２を介してオペレータパネル１０７で設定値確定キーの押下を受付けると、ジョブパラメータ管理部３０７は、入力された設定値をＦＢ原稿処理設定情報１３２としてハードディスク１３０に保存し、本処理を終了する。
【００３７】
Ｓ１０５：一方、Ｓ０３において、パネル制御部３０２が読取り手段別に設定しない選択操作を受付けると、ジョブパラメータ管理部３０７は、パネル制御部３０２を介してオペレータパネル１０７に、ＡＤＦ１１０とＦＢ１２０とを区別することなく、ＦＢ１２０およびＡＤＦ１１０共通のスキャンＴｏサーバの設定画面を表示し、オペレータパネル１０７でスキャンＴｏサーバにおける原稿の読取り設定および読取った画像の出力に関するスキャンジョブ設定の操作を受付ける。
【００３８】
スキャンＴｏサーバの設定画面で設定操作を受付けた後、パネル制御部３０２を介してオペレータパネル１０７で設定値確定キーの押下を受付けると、ジョブパラメータ管理部３０７は、入力された設定値をそれぞれＡＤＦ原稿処理設定情報１３１およびＦＢ原稿処理設定情報１３２として、すなわちＡＤＦ原稿処理設定情報１３１およびＦＢ原稿処理設定情報１３２を同一内容の設定値としてハードディスク１３０に保存し、本処理を終了する。
【００３９】
次に、ＭＦＰが行うスキャンＴｏサーバ処理を図７の実施例におけるスキャンＴｏサーバ処理の流れを示すフローチャートの図中Ｓで表すステップにしたがって図１、図２、図３および図５を参照しながら説明する。
Ｓ２０１：まず、利用者は、ＦＢ１２０またはＡＤＦ１１０に読取り対象である原稿を載置した後、オペレータパネル１０７を操作して原稿の読取り設定および読取った画像の出力に関する設定を行うものとする。
【００４０】
ＭＦＰ１のジョブパラメータ管理部３０７は、ＡＤＦ用紙検知センサ１１２でＡＤＦ用紙載置部１１１に載置された原稿を検知、またはＦＢ用紙検知センサ１２２でＦＢ用紙載置部１２１に載置された原稿を検知すると、図６に示す設定処理を行い、パネル制御部３０２を介してオペレータパネル１０７でスキャンＴｏサーバにおける原稿の読取り設定および読取った画像の出力に関するスキャンジョブ設定の操作を受付け、入力された設定値をＡＤＦ原稿処理設定情報１３１およびＦＢ原稿処理設定情報１３２としてハードディスク１３０に保存する。
【００４１】
Ｓ２０２：パネル制御部３０２は、スキャンＴｏサーバの設定入力後、入力した設定内容を確認した利用者の操作により、スキャンＴｏサーバの実行開始指示としての実行開始キーの押下を受付け、スキャンＴｏサーバの実行開始要求をジョブ制御部３０６に通知する。
Ｓ２０３：スキャンＴｏサーバの実行開始要求を受けたジョブ制御部３０６は、スキャンＴｏサーバの実行に必要な画像変換設定を画像変換部３０３に、読取った画像の出力先設定を通信制御部３０１に設定した後、スキャナ制御部３０５に対して原稿が載置された部位を確認する指示を通知する。
スキャナ制御部３０５は、ＡＤＦ用紙検知センサ１１２を用いてＡＤＦ用紙載置部１１１に原稿が載置されているか否かを検出する（ＡＤＦ原稿有無検出）。
【００４２】
Ｓ２０４：スキャナ制御部３０５は、ＡＤＦ用紙載置部１１１に原稿が載置されていることを検出すると、ＡＤＦ用紙載置部１１１に原稿が載置されている旨をジョブ制御部３０６へ通知して処理をＳ２０５へ移行し、ＡＤＦ用紙載置部１１１に原稿が載置されていないことを検出すると、ＡＤＦ用紙載置部１１１に原稿が載置されていない旨をジョブ制御部３０６へ通知して処理をＳ２０６へ移行する。
Ｓ２０５：ＡＤＦ用紙載置部１１１に原稿が載置されている旨の通知を受けたジョブ制御部３０６は、ジョブパラメータ管理部３０７からＡＤＦ原稿処理設定情報１３１を取得し、スキャナ制御設定としてスキャナ制御部３０５に設定する（ＡＤＦ原稿用ジョブ設定取得）。
【００４３】
Ｓ２０６：スキャナ制御部３０５は、ジョブ制御部３０６により設定されたスキャナ制御設定としてのＡＤＦ原稿処理設定情報１３１にしたがってＡＤＦ１１０を制御して原稿を読取り、読取った原稿の画像データを画像変換部３０３に渡す。
Ｓ２０７：画像変換部３０３は、スキャナ制御部３０５から受け取った画像データを画像変換設定で指定された画像データ形式に変換（出力画像作成）し、通信制御部３０１に渡す。
【００４４】
Ｓ２０８：スキャナ制御部３０５は、ＡＤＦ用紙検知センサ１１２を用いてＡＤＦ用紙載置部１１１に継続して読取る原稿が残っているか否かを検出し、ＡＤＦ用紙載置部１１１の原稿に有無を確認する（ＡＤＦ原稿有無検出）。
Ｓ２０９：スキャナ制御部３０５は、ＡＤＦ用紙載置部１１１に継続して読取る原稿が残っていることを検出すると処理をＳ２０６へ移行して後続する原稿を読取り、ＡＤＦ用紙載置部１１１に継続して読取る原稿が残っていないことを検出すると処理をＳ２１５へ移行する。
【００４５】
Ｓ２１０：一方、Ｓ２０４において、ＡＤＦ用紙載置部１１１に原稿が載置されていない旨の通知を受けたジョブ制御部３０６は、ＦＢ用紙検知センサ１２２を用いてＦＢ用紙載置部１２１に原稿が載置されているか否かを検出する（ＦＢ原稿有無検出）。
Ｓ２１１：スキャナ制御部３０５は、ＦＢ用紙載置部１２１に原稿が載置されていることを検出すると、ＦＢ用紙載置部１２１に原稿が載置されている旨をジョブ制御部３０６へ通知して処理をＳ２１２へ移行し、ＦＢ用紙載置部１２１に原稿が載置されていないことを検出すると、ＦＢ用紙載置部１２１に原稿が載置されていない旨をジョブ制御部３０６へ通知して処理をＳ２１５へ移行する。
【００４６】
Ｓ２１２：ＦＢ用紙載置部１２１に原稿が載置されている旨の通知を受けたジョブ制御部３０６は、ジョブパラメータ管理部３０７からＦＢ原稿処理設定情報１３２を取得し、スキャナ制御設定としてスキャナ制御部３０５に設定する（ＦＢ原稿用ジョブ設定取得）。
Ｓ２１３：スキャナ制御部３０５は、ジョブ制御部３０６により設定されたスキャナ制御設定としてのＦＢ原稿処理設定情報１３２にしたがってＦＢ１２０を制御して原稿を読取り、読取った原稿の画像データを画像変換部３０３に渡す。
【００４７】
Ｓ２１４：画像変換部３０３は、スキャナ制御部３０５から受け取った画像データを画像変換設定で指定された画像データ形式に変換（出力画像作成）し、通信制御部３０１に渡す。
Ｓ２１５：ジョブ制御部３０６は、スキャナ制御部３０５から原稿の読取り終了の通知または原稿の未検出の通知を受けると、パネル制御部３０２を介してオペレータパネル１０７に、次の読取り対象の原稿をＦＢ用紙載置部１２１またはＡＤＦ用紙載置部１１１に載置し読取りを継続する指示、または読取りを終了する指示の選択を促すメッセージを表示する。
【００４８】
Ｓ２１６：ジョブ制御部３０６は、パネル制御部３０２により読取りを終了する指示が選択されたと判定すると処理をＳ２１７へ移行し、次の読取り対象の原稿を載置し、読取りを継続する指示が選択されたと判定すると原稿の読取りを継続するため処理をＳ２０１へ移行する。
なお、読取りを継続する指示が選択された場合、処理をＳ２０１へ移行して次に読取る原稿のスキャンジョブ設定の操作を受付けるようにするが、設定の内容を変更しない場合、Ｓ２０１の処理を行うことなくＳ２０２の処理を行うようにしても良い。
【００４９】
例えば、結合ジョブがＡＤＦ１１０で複数回（例えば、１００枚の原稿を５０枚ずつ読取る２つのジョブ）に分けて原稿を読取る複数のジョブと、ＦＢ１２０で１枚の原稿を読取る１つのジョブとからなる場合であって、ＡＤＦ１１０で原稿を読取る複数のジョブでＡＤＦ原稿処理設定情報１３１が異なる場合、Ｓ２０１においてＡＤＦ１１０で原稿を読取るジョブ毎に、ＡＤＦ原稿処理設定情報１３１を設定し、ＡＤＦ１１０で原稿を読取る複数のジョブでＡＤＦ原稿処理設定情報１３１が同じ場合、ＡＤＦ原稿処理設定情報１３１を改めて設定することなくＳ２０２の処理を行うものとする。
【００５０】
また、ＡＤＦ１１０で原稿を読取る複数のジョブでＡＤＦ原稿処理設定情報１３１が異なる場合、最初に行うＳ２０１においてＡＤＦ１１０で原稿を読取るジョブ毎に、ＡＤＦ原稿処理設定情報１３１を予め設定しておくようにしても良い。この場合、ＡＤＦ１１０で原稿を読取るジョブ毎に、ＡＤＦ原稿処理設定情報１３１をハードディスク１３０に記憶しておくものとする。
【００５１】
Ｓ２１７：読取りを終了する指示が選択された判定したジョブ制御部３０６は、Ｓ２０１〜Ｓ２１４で行われたジョブを結合するため、画像変換部３０３で作成された各ジョブの画像データを取得して結合する。
Ｓ２１８：通信制御部３０１は、ジョブ制御部３０６で結合された画像データを出力先設定情報に基づいて読取った画像を出力先（出力手段）へ送信する。なお、本実施例では、ＭＦＰ１からサーバに対して画像データのファイルを送受信する際、ＣＩＦＳ（Ｃｏｍｍｏｎ  Ｉｎｔｅｒｎｅｔ  Ｆｉｌｅ  Ｓｙｓｔｅｍ）の通信プロトコルを使用するものとする。
【００５２】
このように、本実施例では、ＦＢ１２０およびＡＤＦ１１０で原稿を読取る結合ジョブの実行を開始する前に、ＦＢ１２０で原稿を読取る際のスキャナ制御設定としてのＦＢ原稿処理設定情報１３２と、ＡＤＦ１１０で原稿を読取る際のスキャナ制御設定としてのＡＤＦ原稿処理設定情報１３１とをハードディスク１３０に記憶させ、設定可能にしたことにより、利用者はジョブ毎に煩雑なスキャナ制御設定の操作を行うことなく、原稿読取り手段を切り替えるだけで個々の利用者が所望する原稿の読取り設定および読取った画像の出力に関する設定で結合ジョブを実行することができ、ジョブ毎に行う利用者の設定操作の負担を軽減し、利用者の利便性を向上させることができる。
【００５３】
以上説明したように、本実施例では、複数の原稿読取り手段で原稿を読取る複数のジョブの実行を開始する前に、それぞれの読取り手段毎に、スキャナ制御設定情報を記憶部に記憶させ、設定可能にしたことにより、ジョブ毎に行う利用者の設定操作の負担を軽減することができるという効果が得られる。
なお、本実施例では、読取った原稿の画像をサーバに送信するスキャンＴｏサーバの機能で説明したが、それに限られることなく、複数の原稿読取り手段で原稿を読取る複数のジョブからなる結合ジョブの実行するものであれば、読取った原稿の画像を印刷する機能や電子メールで送信する機能としても良い。
【符号の説明】
【００５４】
１    ＭＦＰ
１０１  共通バス
１０２  ＣＰＵ
１０３  ＲＡＭ
１０４  ＲＯＭ
１０５  ＭＦＰ制御プログラム
１０６  ネットワークインタフェース
１０７  オペレータパネル
１０８  プリンタユニット
１０９  スキャナユニット
１１０  自動給紙装置（ＡＤＦ）
１１１  ＡＤＦ用紙載置部
１１２   ＡＤＦ用紙検知センサ
１１３  用紙搬送ユニット
１１４  用紙排紙ユニット
１２０  フラットベッド（ＦＢ）
１２１  ＦＢ用紙載置部
１２２  ＦＢ用紙検知センサ
１２３  画像読取ユニット
【図１】
2015070590.tif 000003
【図２】
2015070590.tif 000004
【図３】
2015070590.tif 000005
【図４】
2015070590.tif 000006
【図５】
2015070590.tif 000007
【図６】
2015070590.tif 000008
【図７】
2015070590.tif 000009
【図８】
2015070590.tif 000010